(57)【要約】      （修正有）【課題】表示されたパターンの効果により、使用者の病気の症状の改善、使用者の体調の改善を起こすことができる、カタカムナウタヒが表示されたカーペット、カーテン、食器、寝具、服飾、眼鏡、筆記用具を提供する。【解決手段】カタカムナウタヒの渦巻き状のパターンが、複数個、カーペット１の表面、および裏面に表示され、時計まわりの表パターンＡと、反時計まわりの裏パターンＢが対となって形成されるか、あるいは、すべて反時計まわりの裏パターンＢとする。【選択図】図１
0003212326.tif 000002
【実用新案登録請求の範囲】
【請求項１】
カタカムナウタヒの渦巻き状のパターンが、複数個、カーペットの表面、および裏面に表示されたことを特徴とするカーペット。
【請求項２】
前記カタカムナウタヒの渦巻き状のパターンは、時計まわりの表パターンと、反時計まわりの裏パターンが対となって形成されたことを特徴とする請求項１記載のカーペット。
【請求項３】
前記カタカムナウタヒの渦巻き状のパターンは、全て、反時計まわりの裏パターンであることを特徴とする請求項１記載のカーペット。
【請求項４】
カタカムナウタヒの渦巻き状のパターンが、複数個、カーテンの表面、および裏面に表示されたことを特徴とするカーテン。
【請求項５】
前記カタカムナウタヒの渦巻き状のパターンは、時計まわりの表パターンと、反時計まわりの裏パターンが対となって形成されたことを特徴とする請求項４記載のカーテン。
【請求項６】
前記カタカムナウタヒの渦巻き状のパターンは、全て、反時計まわりの裏パターンであることを特徴とする請求項４記載のカーテン。
【請求項７】
カタカムナウタヒの渦巻き状のパターンが、複数個、食器の表面、および裏面に表示されたことを特徴とする食器。
【請求項８】
前記食器は、マグカップ、トレイ、スプーンなどであり、
前記カタカムナウタヒの渦巻き状のパターンは、時計まわりの表パターンと、反時計まわりの裏パターンが、
前記マグカップ、トレイ、スプーンの表面、裏面に表示されたことを特徴とする請求項７記載の食器。
【請求項９】
前記食器は、マグカップ、トレイ、スプーンなどであり、
前記カタカムナウタヒの渦巻き状のパターンは、全て、反時計まわりの裏パターンであって、
前記マグカップ、トレイ、スプーンの表面、裏面に表示されたことを特徴とする請求項７記載の食器。
【請求項１０】
カタカムナウタヒの渦巻き状のパターンが、複数個、寝具の表面、および裏面に表示されたことを特徴とする寝具。
【請求項１１】
前記寝具は、枕、あるいは布団であって、
前記カタカムナウタヒの渦巻き状のパターンは、時計まわりの表パターンと、反時計まわりの裏パターンが、
前記枕、あるいは布団の表面、裏面に表示されたことを特徴とする請求項１０記載の寝具。
【請求項１２】
前記寝具は、枕、あるいは布団であって、
前記カタカムナウタヒの渦巻き状のパターンは、すべて、反時計まわりの裏パターンであって、
前記枕、あるいは布団の表面、裏面に表示されたことを特徴とする請求項１０記載の寝具。
【請求項１３】
カタカムナウタヒの渦巻き状のパターンが、複数個、服飾の表面、および裏面に表示されたことを特徴とする服飾。
【請求項１４】
前記服飾は、Ｔシャツ、ネクタイ、着物の帯であって、
前記カタカムナウタヒの渦巻き状のパターンは、時計まわりパターンと、反時計まわりパターンが対となって、
前記Ｔシャツのフロント側、バック側に表示され、前記ネクタイの表側、裏側に表示され、前記着物の帯の表側、裏側に表示されたことを特徴とする請求項１３記載の服飾。
【請求項１５】
前記服飾は、Ｔシャツ、ネクタイ、着物の帯であって、
前記カタカムナウタヒの渦巻き状のパターンは、すべて、反時計まわりの裏パターンであって、
前記Ｔシャツのフロント側、バック側に表示され、前記ネクタイの表側、裏側に表示され、前記着物の帯の表側、裏側に表示されたことを特徴とする請求項１３記載の服飾。
【請求項１６】
カタカムナウタヒの渦巻き状のパターンを直線方向に伸ばしたパターンが、複数個、眼鏡の左右のフレームに表示されたことを特徴とする眼鏡。
【請求項１７】
前記カタカムナウタヒの渦巻き状のパターンを直線方向に伸ばしたパターンは、
、時計まわりの表パターンを直線方向に伸ばしたパターンと、反時計まわりの裏パターンを直線方向に伸ばしたパターンとが、対になって形成されたことを特徴とする請求項１６記載の眼鏡。
【請求項１８】
前記カタカムナウタヒの渦巻き状のパターンを直線方向に伸ばしたパターンは、
すべて、反時計まわりの裏パターンを直線方向に伸ばしたパターンであることを特徴とする請求項１６記載の眼鏡。
【請求項１９】
カタカムナウタヒの渦巻き状のパターンを直線方向に伸ばしたパターンが、複数個、筆記用具の側面に表示されたことを特徴とする筆記用具。
【請求項２０】
前記カタカムナウタヒの渦巻き状のパターンを直線方向に伸ばしたパターンは、
、時計まわりの表パターンを直線方向に伸ばしたパターンと、反時計まわりの裏パターンを直線方向に伸ばしたパターンとが、対になって形成されたことを特徴とする請求項１９記載の筆記用具。
【請求項２１】
前記カタカムナウタヒの渦巻き状のパターンを直線方向に伸ばしたパターンは、
すべて、反時計まわりの裏パターンを直線方向に伸ばしたパターンであることを特徴とする請求項１９記載の筆記用具。
【考案の詳細な説明】
【技術分野】
【０００１】
本考案は、カタカムナの投影であるカタカムナウタヒについて、表パターンと、裏パターンが表示されている、カタカムナウタヒが表示されたカーペット、カーテン、食器、、寝具、服飾、眼鏡、筆記用具に関する。
【背景技術】
【０００２】
各種、模様が表示された物品、例えば、カーペット、カーテン、食器、寝具、服飾、眼鏡、筆記用具については、各種の模様が表示された物品が、公開されている。
【０００３】
例えば、特許文献１には、限りなく、実物のカーペットに近い印象を与える図柄見本が、表示されたカーペットについて、記載されている。
【先行技術文献】
【特許文献】
【０００４】
【特許文献１】特開２００３−２２０２０号公報
【考案の概要】
【考案が解決しようとする課題】
【０００５】
特許文献１には、限りなく、実物のカーペット近い印象を与える図柄見本が、表示されたカーペットであるが、この効果は、使用者の視覚に寄与効果があるが、使用者の病気の症状の改善、使用者の体調の改善を起こすことは出来ないという問題点があった。
【０００６】
本考案の課題は、表示されたパターンの効果により、使用者の病気の症状の改善、使用者の体調の改善を起こすことができる、カタカムナウタヒが表示されたカーペット、カーテン、食器、寝具、服飾、眼鏡、筆記用具を提供することである。
【課題を解決するための手段】
【０００７】
本考案の請求項１に係るカーペットは、カタカムナウタヒの渦巻き状のパターンが、複数個、カーペットの表面、および裏面に表示されたことを特徴とするカーペットである。
【０００８】
本考案の請求項２に係るカーペットは、前記カタカムナウタヒの渦巻き状のパターンは、時計まわりの表パターンと、反時計まわりの裏パターンが対となって形成されたことを特徴とする請求項１記載のカーペットである。
【０００９】
本考案の請求項３に係るカーペットは、前記カタカムナウタヒの渦巻き状のパターンは、全て、反時計まわりの裏パターンであることを特徴とする請求項１記載のカーペットである。
【００１０】
本考案の請求項４に係るカーテンは、カタカムナウタヒの渦巻き状のパターンが、複数個、カーテンの表面、および裏面に表示されたことを特徴とするカーテンである。
【００１１】
本考案の請求項５に係るカーテンは、前記カタカムナウタヒの渦巻き状のパターンは、時計まわりの表パターンと、反時計まわりの裏パターンが対となって形成されたことを特徴とする請求項４記載のカーテンである。
【００１２】
本考案の請求項６に係るカーテンは、前記カタカムナウタヒの渦巻き状のパターンは、全て、反時計まわりの裏パターンであることを特徴とする請求項４記載のカーテンである。
【００１３】
本考案の請求項７に係る食器は、カタカムナウタヒの渦巻き状のパターンが、複数個、食器の表面、および裏面に表示されたことを特徴とする食器である。
【００１４】
本考案の請求項８に係る食器は、前記食器が、マグカップ、トレイ、スプーンなどであり、
前記カタカムナウタヒの渦巻き状のパターンは、時計まわりの表パターンと、反時計まわりの裏パターンが、前記マグカップ、トレイ、スプーンの表面、裏面に表示されたことを特徴とする請求項７記載の食器である。
【００１５】
本考案の請求項９に係る食器は、前記食器は、マグカップ、トレイ、スプーンなどであり、
前記カタカムナウタヒの渦巻き状のパターンは、全て、反時計まわりの裏パターンであって、前記マグカップ、トレイ、スプーンの表面、裏面に表示されたことを特徴とする請求項７記載の食器である。
【００１６】
本考案の請求項１０に係る寝具は、カタカムナウタヒの渦巻き状のパターンが、複数個、寝具の表面、および裏面に表示されたことを特徴とする寝具である。
【００１７】
本考案の請求項１１に係る寝具は、前記寝具が、枕、あるいは布団であって、前記カタカムナウタヒの渦巻き状のパターンは、時計まわりの表パターンと、反時計まわりの裏パターンが、前記枕、あるいは布団の表面、裏面に表示されたことを特徴とする請求項１０記載の寝具である。
【００１８】
本考案の請求項１２に係る寝具は、前記寝具が、枕、あるいは布団であって、前記カタカムナウタヒの渦巻き状のパターンは、すべて、反時計まわりの裏パターンであって、前記枕、あるいは布団の表面、裏面に表示されたことを特徴とする請求項１０記載の寝具である。
【００１９】
本考案の請求項１３に係る服飾は、カタカムナウタヒの渦巻き状のパターンが、複数個、
服飾の表面、および裏面に表示されたことを特徴とする服飾である。
【００２０】
本考案の請求項１４に係る服飾は、前記服飾が、Ｔシャツ、ネクタイ、着物の帯であって、
前記カタカムナウタヒの渦巻き状のパターンは、時計まわりパターンと、反時計まわりパターンが対となって、前記Ｔシャツのフロント側、バック側に表示され、前記ネクタイの表側、裏側に表示され、前記着物の帯の表側、裏側に表示されたことを特徴とする請求項１３記載の服飾である。
【００２１】
本考案の請求項１５に係る服飾は、前記服飾はが、前記服飾が、Ｔシャツ、ネクタイ、着物の帯であって、前記カタカムナウタヒの渦巻き状のパターンは、すべて、反時計まわりの裏パターンであって、前記Ｔシャツのフロント側、バック側に表示され、前記ネクタイの表側、裏側に表示され、前記着物の帯の表側、裏側に表示されたことを特徴とする請求項１３記載の服飾である。
【００２２】
本考案の請求項１６に係る眼鏡は、カタカムナウタヒの渦巻き状のパターンを直線方向に伸ばしたパターンが、複数個、眼鏡の左右のフレームに表示されたことを特徴とする眼鏡である。
【００２３】
本考案の請求項１７に係る眼鏡は、前記カタカムナウタヒの渦巻き状のパターンを直線方向に伸ばしたパターンは、、時計まわりの表パターンを直線方向に伸ばしたパターンと、反時計まわりの裏パターンを直線方向に伸ばしたパターンとが、対になって形成されたことを特徴とする請求項１６記載の眼鏡である。
【００２４】
本考案の請求項１８に係る眼鏡は、前記カタカムナウタヒの渦巻き状のパターンを直線方向に伸ばしたパターンは、すべて、反時計まわりの裏パターンを直線方向に伸ばしたパターンであることを特徴とする請求項１６記載の眼鏡である。
【００２５】
本考案の請求項１９に係る筆記用具は、カタカムナウタヒの渦巻き状のパターンを直線方向に伸ばしたパターンが、複数個、筆記用具の側面に表示されたことを特徴とする筆記用具である。
【００２６】
本考案の請求項２０に係る筆記用具は、前記カタカムナウタヒの渦巻き状のパターンを直線方向に伸ばしたパターンは、、時計まわりの表パターンを直線方向に伸ばしたパターンと、反時計まわりの裏パターンを直線方向に伸ばしたパターンとが、対になって形成されたことを特徴とする請求項１９記載の筆記用具である。
【００２７】
本考案の請求項２１に係る筆記用具は、前記カタカムナウタヒの渦巻き状のパターンを直線方向に伸ばしたパターンは、すべて、反時計まわりの裏パターンを直線方向に伸ばしたパターンであることを特徴とする請求項１９記載の筆記用具である。
【考案の効果】
【００２８】
本考案の請求項１のカーペットによれば、表示されたカタカムナウタヒのパターンの効果により、使用者の病気の症状の改善、使用者の体調の改善を起こすことができるカーペットを提供することができる。
【００２９】
本考案の請求項２のカーペットによれば、表示されたカタカムナウタヒのパターンを、時計まわりの表パターンと、反時計まわりの裏パターンとを１対として表示されて、使用者の病気の症状の改善、使用者の体調の改善を起こすことができるカーペットを提供することができる。
【００３０】
本考案の請求項３のカーペットによれば、表示されたカタカムナウタヒのパターンを、すべて反時計まわりの裏パターンとして、、使用者の病気の症状の改善、使用者の体調の改善を最大限、起こすことができるカーペットを提供することができる。
【００３１】
本考案の請求項４のカーテンによれば、表示されたカタカムナウタヒのパターンの効果により、使用者の病気の症状の改善、使用者の体調の改善を起こすことができるカーテンを提供することができる。
【００３２】
本考案の請求項５のカーテンによれば、表示されたカタカムナウタヒのパターンを、時計まわりの表パターンと、反時計まわりの裏パターンとを１対として表示されて、使用者の病気の症状の改善、使用者の体調の改善を起こすことができるカーテンを提供することができる。
【００３３】
本考案の請求項６のカーテンによれば、表示されたカタカムナウタヒのパターンを、すべて反時計まわりの裏パターンとして、、使用者の病気の症状の改善、使用者の体調の改善を最大限、起こすことができるカーテンを提供することができる。
【００３４】
本考案の請求項７の食器によれば、表示されたカタカムナウタヒのパターンの効果により、使用者の病気の症状の改善、使用者の体調の改善を起こすことができるカーテンを提供することができる。
【００３５】
本考案の請求項８の食器によれば、表示されたカタカムナウタヒのパターンを、時計まわりの表パターンと、反時計まわりの裏パターンとを１対として表示されて、使用者の病気の症状の改善、使用者の体調の改善を起こすことができる食器を提供することができる。
【００３６】
本考案の請求項９の食器によれば、表示されたカタカムナウタヒのパターンを、すべて反時計まわりの裏パターンとして、、使用者の病気の症状の改善、使用者の体調の改善を最大限、起こすことができる食器を提供することができる。
【００３７】
本考案の請求項１０の寝具によれば、表示されたカタカムナウタヒのパターンの効果により、使用者の病気の症状の改善、使用者の体調の改善を起こすことができるカーテンを提供することができる。
【００３８】
本考案の請求項１１の寝具によれば、表示されたカタカムナウタヒのパターンを、時計まわりの表パターンと、反時計まわりの裏パターンとを１対として表示されて、使用者の病気の症状の改善、使用者の体調の改善を起こすことができる寝具を提供することができる。
【００３９】
本考案の請求項１２の寝具によれば、表示されたカタカムナウタヒのパターンを、すべて反時計まわりの裏パターンとして、、使用者の病気の症状の改善、使用者の体調の改善を最大限、起こすことができる寝具を提供することができる。
【００４０】
本考案の請求項１３の服飾によれば、表示されたカタカムナウタヒのパターンの効果により、使用者の病気の症状の改善、使用者の体調の改善を起こすことができる服飾を提供することができる。
【００４１】
本考案の請求項１４の服飾によれば、表示されたカタカムナウタヒのパターンを、時計まわりの表パターンと、反時計まわりの裏パターンとを１対として表示されて、使用者の病気の症状の改善、使用者の体調の改善を起こすことができる服飾を提供することができる。
【００４２】
本考案の請求項１５の服飾によれば、表示されたカタカムナウタヒのパターンを、すべて反時計まわりの裏パターンの効果により、、使用者の病気の症状の改善、使用者の体調の改善を最大限、起こすことができる服飾を提供することができる。
【００４３】
本考案の請求項１６の眼鏡によれば、カタカムナウタヒの渦巻き状のパターンを直線方向に伸ばしたパターンの効果により、使用者の病気の症状の改善、使用者の体調の改善を起こすことができる眼鏡を提供することができる。
【００４４】
本考案の請求項１７の眼鏡によれば、カタカムナウタヒの渦巻き状のパターンを直線方向に伸ばしたパターンは、、時計まわりの表パターンを直線方向に伸ばしたパターンと、反時計まわりの裏パターンを直線方向に伸ばしたパターンとが、対になって形成された効果により、使用者の病気の症状の改善、使用者の体調の改善を起こすことができる眼鏡を提供することができる。
【００４５】
本考案の請求項１８の眼鏡によれば、カタカムナウタヒの渦巻き状のパターンを直線方向に伸ばしたパターンは、すべて、反時計まわりの裏パターンを直線方向に伸ばしたパターンである効果により、使用者の病気の症状の改善、使用者の体調の改善を起こすことができる眼鏡を提供することができる。
【００４６】
本考案の請求項１９の筆記用具によれば、カタカムナウタヒの渦巻き状のパターンを直線方向に伸ばしたパターンにより、使用者の病気の症状の改善、使用者の体調の改善を起こすことができる筆記用具を提供することができる。
【００４７】
本考案の請求項２０の筆記用具によれば、カタカムナウタヒの渦巻き状のパターンを直線方向に伸ばしたパターンは、、時計まわりの表パターンを直線方向に伸ばしたパターンと、反時計まわりの裏パターンを直線方向に伸ばしたパターンとが、対になって形成された効果により、使用者の病気の症状の改善、使用者の体調の改善を起こすことができる筆記用具を提供することができる。
【００４８】
本考案の請求項２１の筆記用具によれば、カタカムナウタヒの渦巻き状のパターンを直線方向に伸ばしたパターンは、すべて、反時計まわりの裏パターンを直線方向に伸ばしたパターンである効果により、使用者の病気の症状の改善、使用者の体調の改善を起こすことができる筆記用具を提供することができる。
【００４９】
本考案によれば、表示されたパターンの効果により、使用者の病気の症状の改善、使用者の体調の改善を起こすことができる、カタカムナウタヒが表示されたカーペット、カーテン、食器、寝具、服飾、眼鏡、筆記用具を提供することができる。
【図面の簡単な説明】
【００５０】
【図１】本考案の実施例１のカーペットの図。図１（ａ）は、カーペットの表面であって、カタカムタウタヒの表パターンが表示された状態であり、図１（ｂ）は、カーペットの裏面であって、カタカムタウタヒの裏パターンが表示された状態である。
【図２】本考案の実施例２のカーテンの図。図２（ａ）は、カーテンの表面であって、カタカムタウタヒの表パターンが表示された状態であり、図１（ｂ）は、カーテンの裏面であって、カタカムタウタヒの裏パターンが表示された状態である。
【図３】本考案の実施例３の食器である、トレイ、マグカップの図。図３（ａ）は、トレイの表面であって、カタカムタウタヒの表パターンが表示された状態であり、図３（ｂ）は、マグカップの裏面であって、カタカムタウタヒの裏パターンが表示された状態である。
【図４】本考案の実施例４の寝具である。図４（ａ）は、枕カバーであって、カタカムタウタヒの表パターン、裏パターンが表示された状態であり、図４（ｂ）は、ふとんカバーであって、カタカムタウタヒの表パターン、裏パターンが表示された状態である。
【図５】本考案の実施例５の服飾である、Ｔシャツ、着物の帯の図。図５（ａ）は、Ｔシャツトであって、カタカムタウタヒの表パターン、裏パターンが表示された状態であり、図５（ｂ）は、着物の帯であって、カタカムタウタヒの表パターン、裏パターンが表示された状態である。
【図６】本考案の実施例６の眼鏡である。
【図７】本考案の実施例７の筆記用具である、
【図８】カタカムタウタヒの時計まわりの表パターンの代表図。
【図９】本考案の図８から、導き出したカタカムタウタヒの反時計まわり裏パターンの図。
【図１０】本考案のカタカムタウタヒの変換手法についての説明図。
【考案を実施するための形態】
【００５１】
カタカムナタウヒに関して、以下説明する。図８は、カタカムナタウヒの時計まわりの表のパターンの１例を示す。このパターンは、すでに公知となっているパターンであった。
【００５２】
発明者は、図８の、カタカムナタウヒの時計まわりの表のパターンについて、図１０に示した変換手法を加えて、カタカムナタウヒの反時計まわりの裏のパターンを作成した。
図９は、図８のパターンをもとに、発明者が、作成したカタカムナタウヒの反時計まわりの裏のパターンである。
発明者は、図９のカタカムナタウヒの反時計まわりの裏のパターンが、使用者の病気の症状の改善、使用者の体調の改善を起こすことができることを発見した。
一方、元の時計まわりの表のパターンについては、使用者の病気の症状の改善、使用者の体調の改善の効果は、ほとんど見られなかった。
【００５３】
図１０に示した変換手法について、詳細を説明する。
（発明者は、裏パターンを工夫した。）
カタカムナタウヒの時計まわりの、おもてのパターンについて、個別の２個の（図形）を選択し、図１０に示すごとくマイナス処理して、裏パターンの図形を作成する。ついで次々、同様のマイナス処理をして、反時計まわりのパターンを作成し、カタカムナタウヒ（うら）が作成される。（図９を参照のこと）
【００５４】
上記のカタカムナ（おもて）から、カタカムナタウヒ（うら）を作成する手法は、発明者が考案したものである。
（実施例１）
【００５５】
図１は、本考案の実施例１のカーペット１の図である。図１（ａ）は、カーペット１の表面であって、カタカムタウタヒの時計まわりの表パターンＡが表示された状態であり、図１（ｂ）は、カーペット１の裏面であって、カタカムタウタヒの反時計まわりの裏パターンＢが表示された状態である。
【００５６】
段落００５２にて、説明したごとく、カーペット１の裏面のカタカムタウタヒの反時計まわりの裏パターンＢが、使用者の病気の症状の改善、使用者の体調の改善を起こすことができる。ここで、更に、図１（ａ）のカーペットの表面も、カタカムタウタヒの反時計まわりの裏パターンＢとすると、すべてカタカムタウタヒの反時計まわりの裏パターンＢとなって、一層、使用者の病気の症状の改善、使用者の体調の改善の効果の度合いを倍増することができる。
（実施例２）
【００５７】
図２は、本考案の実施例２のカーテン２の図である。図２（ａ）は、カーテン２の表面であって、カタカムタウタヒの表パターンＡが表示された状態であり、図１（ｂ）は、カーテン２の裏面であって、カタカムタウタヒの裏パターンＢが表示された状態である。
【００５８】
段落００５２にて、説明したごとく、カタカムタウタヒの反時計まわりの裏パターンＢが、使用者の病気の症状の改善、使用者の体調の改善を起こすことができる。
ここで、更に、図２（ａ）のカーテンの表面も、カタカムタウタヒの反時計まわりの裏パターンＢとし、すべてカタカムタウタヒの反時計まわりの裏パターンＢとすると、一層、使用者の病気の症状の改善、使用者の体調の改善の効果の度合いを倍増することができる
（実施例３）
【００５９】
図３は、本考案の実施例３の食器である、トレイ３、マグカップ４の図である。図３（ａ）は、トレイ３の表側の面、マグカップ４の表側の面であって、カタカムタウタヒの時計まわりの表パターンＡが表示された状態であり、図３（ｂ）は、トレイ３の裏側の面
マグカップ４の裏側の面であって、カタカムタウタヒの反時計まわりの裏パターンＢが表示された状態である。
段落００５２にて、説明したごとく、カタカムタウタヒの反時計まわりの裏パターンＢが、使用者の病気の症状の改善、使用者の体調の改善を起こすことができる。
【００６０】
更に、図３（ａ）のトレイ３の表側の面、およびマグカップ４の表側の面も、カタカムタウタヒの反時計まわりの裏パターンＢとし、すべてのパターンを、カタカムタウタヒの反時計まわりの裏パターンＢとすると、一層、使用者の病気の症状の改善、使用者の体調の改善の効果の度合いを倍増することができる
（実施例４）
【００６１】
図４は、本考案の実施例４の寝具である、枕カバー５、ふとんカバー６の図である。図４（ａ）は、枕カバー５のカタカムタウタヒの表パターン、裏パターンが表示された状態であり、図４（ｂ）は、着物の帯であって、カタカムタウタヒの表パターン、裏パターンが表示された状態である。
段落００５２にて、説明したごとく、カタカムタウタヒの反時計まわりの裏パターンＢが、使用者の病気の症状の改善、使用者の体調の改善を起こすことができる。
（実施例５）
【００６２】
図５は、本考案の実施例５の服飾である、Ｔシャツ７、着物の帯８の図。図５（ａ）は、Ｔシャツ７であって、カタカムタウタヒの表パターン、裏パターンが表示された状態であり、図５（ｂ）は、着物の帯であって、カタカムタウタヒの表パターン、裏パターンが表示された状態である。
段落００５２にて、説明したごとく、カタカムタウタヒの反時計まわりの裏パターンＢが、使用者の病気の症状の改善、使用者の体調の改善を起こすことができる。
（実施例６）
【００６３】
図６は、カタカムナウタヒの渦巻き状のパターンを直線方向に伸ばしたパターンが、複数個、眼鏡の左右のフレームに表示されたことを特徴とする眼鏡８の図である。
前記カタカムナウタヒの渦巻き状のパターンを直線方向に伸ばしたパターンは、
時計まわりの表パターンを直線方向に伸ばしたパターンと、反時計まわりの裏パターンを直線方向に伸ばしたパターンとが、対になって形成されたことを特徴とする。
前記カタカムナウタヒの渦巻き状のパターンを直線方向に伸ばしたパターンは、
すべて、反時計まわりの裏パターンを直線方向に伸ばしたパターンであることを特徴とする。
（実施例７）
【００６４】
図７は、カタカムナウタヒの渦巻き状のパターンを直線方向に伸ばしたパターンが、複数個、筆記用具の側面に表示されたことを特徴とする筆記用具である。
前記カタカムナウタヒの渦巻き状のパターンを直線方向に伸ばしたパターンは、
時計まわりの表パターンを直線方向に伸ばしたパターンと、反時計まわりの裏パターンを直線方向に伸ばしたパターンとが、対になって形成されたことを特徴とする。
前記カタカムナウタヒの渦巻き状のパターンを直線方向に伸ばしたパターンは、すべて、反時計まわりの裏パターンを直線方向に伸ばしたパターンであることを特徴とする。
【符号の説明】
【００６５】
１  カーペット  
２  カーテン
３  トレイ
４  マグカップ
５  枕カバー
６  ふとんカバー
７  Ｔシャツ
８  着物の帯
９  眼鏡
１０  筆記用具
Ａ  カタカムナウタヒの時計まわりの表パターン
Ｂ  カタカムナウタヒの反時計まわりの裏パターン
【産業上の利用可能性】
【００６６】
本考案のカタカムナウタヒが表示されたカーペット、カーテン、食器、寝具、服飾、眼鏡、筆記用具によれば、表示されたパターンの効果により、使用者の病気の症状の改善、使用者の体調の改善を起こすことができる、カタカムナウタヒが表示されたカーペット、カーテン、食器、寝具、服飾、眼鏡、筆記用具を提供することができ、産業の発展に寄与する。
【図１】
0003212326.tif 000003
【図２】
0003212326.tif 000004
【図３】
0003212326.tif 000005
【図４】
0003212326.tif 000006
【図５】
0003212326.tif 000007
【図６】
0003212326.tif 000008
【図７】
0003212326.tif 000009
【図８】
0003212326.tif 000010
【図９】
0003212326.tif 000011
【図１０】
0003212326.tif 000012